(57)【要約】【課題】データ読み取り装置と非接触式ＩＣタグとの位置関係を問わず、データ読み取り装置に非接触式ＩＣタグのデータを読み取らせることができる保管庫及びアンテナ装置を提供すること。【解決手段】非接触式ＩＣタグ（１１，３４）のデータを読み取るデータ読み取り装置（１１，７）を備える保管庫（１，１Ａ，１Ｂ）において、ループ状のアンテナ部（２５）を備える第１アンテナ（２１）と、ループ状のアンテナ部（２７）を備える第２アンテナ（２２）とを線路（２３）で結合したアンテナ装置（２０，２０Ａ，２０Ｂ）を有する。【選択図】 図１
2009038601.tif 000002
【特許請求の範囲】
【請求項１】
非接触式ＩＣタグのデータを読み取るデータ読み取り装置を備える保管庫において、
ループ状のアンテナ部を備える第１アンテナと、ループ状のアンテナ部を備える第２アンテナとを線路で結合したアンテナ装置を有する
ことを特徴とする保管庫。
【請求項２】
請求項１に記載する保管庫において、
前記アンテナ装置は、前記データ読み取り装置が使用する無線周波数に共振する
ことを特徴とする保管庫。
【請求項３】
請求項１又は請求項２に記載する保管庫において、
前記アンテナ装置と前記データ読み取り装置との接続状態を切り替える切替手段を有する
ことを特徴とする保管庫。
【請求項４】
請求項３に記載する保管庫において、
前記切替手段は前記線路上に配置されている
ことを特徴とする保管庫。
【請求項５】
請求項４又は請求項５に記載する保管庫において、
前記アンテナ装置は、前記第１アンテナに複数の前記第２アンテナが並列に接続し、
前記切替手段が、前記第１アンテナに接続する前記第２アンテナを切り替える
ことを特徴とする保管庫。
【請求項６】
請求項１乃至請求項５の何れか一つに記載する保管庫において、
前記非接触式ＩＣタグは、当該保管庫に収納される被保管物にそれぞれ取り付けられ、
前記アンテナ装置は、前記第１アンテナが前記データ読み取り装置と磁束結合可能に配置され、前記第２アンテナが前記非接触式ＩＣタグと磁束結合可能に配置されている
ことを特徴とする保管庫。
【請求項７】
請求項１乃至請求項６の何れか一つに記載する保管庫において、
開口部を備える本体部と、
前記開口部を開閉するように前記本体部に取り付けられ、貫通孔が形成された開閉扉と、を有し、
前記データ読み取り装置装置は、前記開閉扉の内側に取り付けられ、
前記アンテナ装置は、前記線路が前記貫通孔に挿通され、前記第１アンテナが前記データ読み取り装置と磁束結合可能に配置され、前記第２アンテナが前記開閉扉の外側に固定されている
ことを特徴とする保管庫。
【請求項８】
非接触式ＩＣタグと、前記非接触式ＩＣタグのデータを読み取るデータ読み取り装置との間に配置されるものであって、
ループ状のアンテナ部を備える第１アンテナと、
ループ状のアンテナ部を備える第２アンテナと、
前記第１アンテナと前記第２アンテナとを結合する線路と、を有する
ことを特徴とするアンテナ装置。
【発明の詳細な説明】
【技術分野】
【０００１】
本発明は、ＣＤ−ＲＯＭやファイル、鍵などの被保管物を保管する保管庫に関する。
【背景技術】
【０００２】
従来より、ＣＤ−ＲＯＭやファイル、鍵、ＭＯなどの被保管物は、保管庫に保管されている。被保管物には非接触式ＩＣタグが搭載され、保管庫は、その非接触式ＩＣタグのデータをリーダ／ライタ装置によって非接触で読み取り、被保管物の利用履歴を管理している（例えば、特許文献１参照。）。
【０００３】
リーダ／ライタ装置は、非接触式ＩＣタグと交信するためのアンテナを内蔵し、そのアンテナを非接触式ＩＣタグの無線通信距離範囲内に配置しなければ、非接触式ＩＣタグのデータを読み取れない。そのため、無線通信距離が短い場合には、リーダ／ライタ装置と、被保管物に搭載される非接触式ＩＣタグとの位置関係がかなり制約される。
【０００４】
そのため、例えば、特許文献２記載の発明は、非接触式ＩＣタグを補助アンテナに固定し、無線通信距離を拡大している。補助アンテナは、非接触式ＩＣタグからの送信信号に対して共振を起こす共振回路が絶縁基板に形成されている。共振回路は、アンテナコイルと、アンテナコイルに接続された部材とで構成されている。補助アンテナは、アンテナコイルに囲まれる領域が、非接触式ＩＣタグのアンテナコイルに囲まれる領域の２倍以上の面積を有する。非接触式ＩＣタグは、リーダ／ライタ装置と補助アンテナを介して無線通信することで、無線通信距離を拡大する。
【０００５】
よって、特許文献２に記載される補助アンテナを備える非接触式ＩＣタグを被保管物に搭載すれば、非接触式ＩＣタグがリーダ／ライタ装置と無線通信する領域が広がるので、リーダ／ライタ装置と、被保管物に搭載される非接触式ＩＣタグとの位置関係の制約が緩和される。
【０００６】
【特許文献１】特開２００３−２７６８０９号公報
【特許文献２】特開２００１−３５１０５４号公報
【発明の開示】
【発明が解決しようとする課題】
【０００７】
しかしながら、特許文献２記載の発明は、非接触式ＩＣタグのアンテナコイルの外側を囲むように、補助アンテナのアンテナコイルを配置する。そのため、補助アンテナのアンテナコイルは、非接触式ＩＣタグのアンテナコイルと、通信方向が常に同じであった。よって、リーダ／ライタ装置は、非接触式ＩＣタグ及び補助アンテナに対して平行に配置されなければ、非接触式ＩＣタグからデータを読み取ることができなかった。
【０００８】
特に、保管庫は、例えば、ＣＤ−ＲＯＭやファイルなどの被保管物を隣同士くっつけて収納する。保管庫は、できるだけ多くの被保管物を収納するためには、被保管物が並べられる棚の裏側や、棚と被保管物との間などにリーダ／ライタ装置を設置することが望ましい。
【０００９】
しかし、特許文献２記載の発明は、上述したように、リーダ／ライタ装置を非接触式ＩＣタグ及び補助アンテナに対して平行に配置しなければならない。例えば、ファイル（被保管物）の表紙に非接触式ＩＣタグを取り付けた場合、棚に設置されたリーダ／ライタ装置は、非接触式ＩＣタグ及び補助アンテナに対して垂直に配置される。この場合、補助アンテナによって非接触式ＩＣタグの無線通信領域をいくら拡大させても、リーダ／ライタ装置は非接触式ＩＣタグからデータを読み取ることができない。
【００１０】
本発明は、上記問題を解決するためになされたものであり、データ読み取り装置と非接触式ＩＣタグとの位置関係を問わず、データ読み取り装置に非接触式ＩＣタグのデータを読み取らせることができる保管庫及びアンテナ装置を提供することを目的とする。
【課題を解決するための手段】
【００１１】
上記目的を達成するために、本発明に係る保管庫は以下の構成を有する。
（１）非接触式ＩＣタグのデータを読み取るデータ読み取り装置を備える保管庫において、ループ状のアンテナ部を備える第１アンテナと、ループ状のアンテナ部を備える第２アンテナとを線路で結合したアンテナ装置を有する。
【００１２】
（２）（１）に記載の発明において、前記アンテナ装置は、前記データ読み取り装置が使用する無線周波数に共振する。
【００１３】
（３）（１）又は（２）に記載の発明において、前記アンテナ装置と前記データ読み取り装置との接続状態を切り替える切替手段を有する。
【００１４】
（４）（３）に記載の発明において、前記切替手段は前記線路上に配置されている。
【００１５】
（５）（４）に記載の発明において、前記アンテナ装置は、前記第１アンテナに複数の前記第２アンテナが並列に接続し、前記切替手段が、前記第１アンテナに接続する前記第２アンテナを切り替えるものである。
【００１６】
（６）（１）乃至（５）の何れか一つに記載の発明において、前記非接触式ＩＣタグは、当該保管庫に収納される被保管物にそれぞれ取り付けられ、前記アンテナ装置は、前記第１アンテナが前記データ読み取り装置と磁束結合可能に配置され、前記第２アンテナが前記非接触式ＩＣタグと磁束結合可能に配置されている。
【００１７】
（７）（１）乃至（６）の何れか一つに記載の発明において、開口部を備える本体部と、前記開口部を開閉するように前記本体部に取り付けられ、貫通孔が形成された開閉扉と、を有し、前記データ読み取り装置装置は、前記開閉扉の内側に取り付けられ、前記アンテナ装置は、前記線路が前記貫通孔に挿通され、前記第１アンテナが前記データ読み取り装置と磁束結合可能に配置され、前記第２アンテナが前記開閉扉の外側に固定されている。
【００１８】
上記目的を達成するために、本発明に係るアンテナ装置は以下の構成を有する。
（６）非接触式ＩＣタグと、前記非接触式ＩＣタグのデータを読み取るデータ読み取り装置との間に配置されるものであって、ループ状のアンテナ部を備える第１アンテナと、ループ状のアンテナ部を備える第２アンテナと、前記第１アンテナと前記第２アンテナとを結合する線路と、を有する。
【発明の効果】
【００１９】
上記構成を有する保管庫及びアンテナ装置は、例えば、被保管物に取り付けられた非接触式ＩＣタグが、データ読み取り装置に対して垂直に配置されても、第１アンテナをデータ読み取り装置に対して磁束結合可能に配置し、第２アンテナを非接触式ＩＣタグに対して磁束結合可能に配置すれば、データ読み取り装置が、第１アンテナ、線路、第２アンテナを介して非接触式ＩＣタグからデータを読み取ることが可能である。
【００２０】
また、例えば、防犯の観点から、データ読み取り装置を開閉扉の内側に取り付け、非接触式ＩＣタグをデータ読み取り装置に直接かざせない場合でも、開閉扉に形成した貫通孔に線路を通し、第１アンテナをデータ読み取り装置と磁束結合可能に配置し、第２アンテナを開閉扉の外側に固定すれば、データ読み取り装置は、第２アンテナにかざされた非接触式ＩＣタグからデータを読み取ることが可能である。
【００２１】
よって、本発明の保管庫及びアンテナ装置によれば、データ読み取り装置と非接触式ＩＣタグとの位置関係を問わず、データ読み取り装置に非接触式ＩＣタグのデータを読み取らせることができる。
【００２２】
また、本発明の保管庫は、アンテナ装置がデータ読み取り装置の使用する無線周波数に共振するため、あたかもアンテナ装置がデータ読み取り装置のアンテナを構成するかのように、データ読み取り装置に非接触式ＩＣタグのデータを読み取らせることが可能である。よって、本発明の保管庫によれば、データ読み取り装置が非接触式ＩＣタグのデータを読み取る領域を拡大させることができる。
【００２３】
また、本発明の保管庫は、切替手段によって、アンテナ装置とデータ読み取り装置との接続状態を切り替えるので、アンテナ装置を介して非接触式ＩＣタグからデータを読み取る必要がある場合にのみ、アンテナ装置とデータ読み取り装置とを接続すれば、電力の浪費を抑制できる。
【００２４】
また、本発明の保管庫は、切替手段をアンテナ装置の線路上に配置しているので、切替手段の取り付けをアンテナ装置の設置と同時に簡単に行うことができる。
【００２５】
また、本発明の保管庫は、第１アンテナに並列に接続される第２アンテナを、例えば、ファイルを支持する複数のブックエンドにそれぞれ取り付け、第１アンテナに接続する第２アンテナを切替手段で切り替えれば、非接触式ＩＣタグのデータを電波干渉させることなくデータ読み取り装置に読み取らせることができる。
【００２６】
また、本発明の保管庫は、被保管物に取り付けられた非接触式ＩＣタグに対して垂直にデータ読み取り装置を配置しても、データ読み取り装置がアンテナ装置を介して非接触式ＩＣタグからデータを読み取るので、被保管物の入出庫を管理してセキュリティレベルを引き上げることができる。
【００２７】
また、本発明の保管庫は、データ読み取り装置を開閉扉の内側に取り付け、アンテナ装置の第２アンテナを開閉扉の外側に取り付けているので、保管庫の外側からデータ読み取り装置を壊すことができず、セキュリティレベルが向上する。
【発明を実施するための最良の形態】
【００２８】
次に、本発明に係る保管庫及アンテナ装置の一実施形態について図面を参照して説明する。
【００２９】
（第１実施形態）
＜保管庫の全体構成＞
図１は、本発明の第１実施形態に係る保管庫１の外観斜視図であって、扉を開いた状態を示す。
保管庫１は、耐火性や、外部からの衝撃に対する剛性を確保するために、金属を材質とする。保管庫１は、保管ボックス２を２段に積み上げて固定したものである。
【００３０】
保管ボックス２は、開口部３ａを備える箱状の本体部３に、開閉扉４が本体部３の開口部３ａを覆うように回動可能に取り付けられている。開閉扉４には、開閉扉４の開閉を許可する電子錠５が取り付けられている。そして、本体部３には、「被保管物」の一例であるファイル１０を収納するための複数の棚６が設けられている。
【００３１】
保管庫１は、個人認証を行うための認証装置７が、上段の保管ボックス２に設けた開閉扉４に取り付けられている。認証装置７及び電子錠５，５は、保管庫１に設けられた制御装置８に接続されている。制御装置８は、認証装置７が読み取った個人ＩＤに基づいてユーザの正当権限を認証できた場合にのみ電子錠５を解錠し、開閉扉４が閉じられたことを検出すると電子錠５を施錠する。また、制御装置８は、各ファイル１０に取り付けられた非接触式ＩＣタグ１１（図２参照）と交信する通信システム９に接続する。制御装置８は、非接触式ＩＣタグ１１のデータを取得し、認証装置７が読み取った個人ＩＤに、ファイル１０の貸出時間や返却時間、非接触式ＩＣタグ１１から取得したデータなどを関連付けて記憶し、各ファイル１０の利用履歴を記憶する。
【００３２】
＜通信システムの概略構成＞
図２は、図１に示す通信システム９の概略構成図である。
通信システム９は、非接触式ＩＣタグ１１とリーダ／ライタ装置１２との間にアンテナ装置２０を配置して構成されている。リーダライタ装置１２は、非接触式ＩＣタグ１１からデータを読み取る「データ読み取り装置」の一例であって、本体部１３に複数の主アンテナ１４が接続している。主アンテナ１４は、絶縁基材１５の表面にアンテナ１６をループ状に形成したものである。絶縁基材１５は、樹脂や紙などの絶縁性材料を平板状にしたものである。アンテナ１６は、銅などの導電性材料をエッチングやコイル、蒸着、スクリーン印刷によって絶縁基材１５に通信距離などに応じた所定の巻数で設けられている。アンテナ１６は、絶縁基板１５の外部に設けられた第１接点部１６ａと第２接点部１６ｂに接続されている。
【００３３】
第１及び第２接点部１６ａ，１６ｂは、本体部１３に設けた切替部１７に接続される。切替部１７は、アンテナ装置２０とリーダ／ライタ装置１２との接続状態を切り替える「切替手段」の一例であって、本体部１３に設けた複数のスイッチ１８により構成されている。各スイッチ１８は、アンテナ１６の第１端子１６ａと第２端子１６ｂに接続される第１切替側端子１８ａと第２切替側端子１８ｂとを備える。本体部１３は、各スイッチ１８ごとに、第１及び第２切替側端子１８ａ，１８ｂがアンテナ１６の第１及び第２端子１６ａ，１６ｂに接続されるＯＮ状態と、第１及び第２切替側端子１８ａ，１８ｂがアンテナ１６の第１及び第２端子１６ａ，１６ｂから切断されるＯＦＦ状態を切り替え、電気的に接続する主アンテナ１６を選択的に切り替える。
【００３４】
セパレータ１９は、ファイル１０の非接触式ＩＣタグ１１とアンテナ装置２０の第２アンテナ２２とが交信できるように、樹脂などの絶縁材料を箱形に形成したものである。セパレータ１９は、主アンテナ１４の上に載置される。セパレータ１９は、正面と上面が開口し、水平方向に並べたファイル１０の倒れ込みを防止する。セパレータ１９は、外面に、アンテナ装置２０が装着されている。
【００３５】
＜アンテナ装置の構成＞
図３は、図２に示すアンテナ装置２０の平面図である。
アンテナ装置２０は、第１アンテナ２１と第２アンテナ２２を線路２３で接続したものである。第１及び第２アンテナ２１，２２は、絶縁基材２４，２６にアンテナ部２５，２７をループ状に設けたものである。絶縁基材２４，２６は、樹脂や紙などの絶縁性材料を平板状にしたものである。アンテナ部２５，２７は、銅などの導電性材料をエッチングやコイル、蒸着、スクリーン印刷によって絶縁基材２４，２６に所定の巻数で設けられている。アンテナ装置２０は、第１及び第２アンテナ２１，２２に設けたアンテナ部２５，２７の巻数を、使用先のデータ読み取り装置（リーダ／ライタ装置１２又は認証装置７）が使用する無線周波数に共振するように設定している。
【００３６】
第２アンテナ２２のコイル部２７に囲まれる面積は、第１アンテナ２１のコイル部２５に囲まれる面積より大きく、第２アンテナ２２は第１アンテナ２１より無線通信領域が拡大されている。
【００３７】
線路２３は、第１及び第２アンテナ２１，２２に設けたアンテナ部２５，２７に電気が流れるように、第１配線２８と第２配線２９でアンテナ部２５，２７を接続している。線路２３（第１及び第２配線２８，２９）は、可撓性を有し、第１アンテナ２１と第２アンテナ２２を任意の方向に向けることを許容している。
【００３８】
＜被保管物データの読み取り構成＞
図２に示すように、保管庫１は、棚６にリーダ／ライタ装置１２の主アンテナ１４が敷き設される。リーダ／ライタ装置１２の本体部１３は、１台であっても、複数台であってもよい。本体部１３は、ファイル１０の収納に邪魔にならないデッドスペース（例えば、棚６の裏側や本体部３の天板の裏側など）に配置され、制御装置８に接続される。尚、本体部１３は、制御装置８に内蔵させても良い。
【００３９】
アンテナ装置２０は、第１アンテナ２１がリーダ／ライタ装置１２と磁束結合可能（電磁誘導可能）に配置され、第２アンテナ２２が非接触式ＩＣタグ１１と磁束結合可能に配置されている。アンテナ装置２０は、線路２３を弛ませないように第１及び第２アンテナ２１，２２がセパレータ１９の側面に固定され、出し入れされるファイルや他のセパレータ１９に線路２３が引っ掛かって断線することを防止している。
【００４０】
本実施形態では、第１アンテナ２１が、リーダ／ライタ装置１２の主アンテナ１４に接するセパレータ１９の下面に、また、第２アンテナ２２が、セパレータ１９の横側面（ファイル１０の表紙又は裏表紙に対向する側面）に、それぞれ接着剤や両面テープ、シール、溶着、ねじなどで固定されている。尚、アンテナ装置２０は、セパレータ１９にインサート成形などにより一体的に設けてもよいことは言うまでもない。また、第２アンテナ２２は、セパレータ１９に収容されたファイル１０の非接触式ＩＣタグ１１に対応する位置に配置すると良い。非接触式ＩＣタグ１１と第２アンテナ２２との無線通信距離が短くなり、非接触式ＩＣタグ１１のデータと交信しやすくなるからである。
【００４１】
＜認証システムの構成＞
図４は、図１に示す認証システムの構成を概念的に示した図である。
認証システムは、非接触ＩＣタグ３４と認証装置７との間にアンテナ装置２０を配置するように構成されている。認証装置７は、社員証や携帯電話などの認証手段３３に取り付けられた非接触式ＩＣタグ３４からデータを読み取る「データ読み取り装置」の一例であって、リーダ／ライタ本体部３１に主アンテナ３２を接続したものである。主アンテナ３２は、リーダ／ライタ装置１２の主アンテナ１４と同様の構成であるので、説明を省略する。リーダ／ライタ本体部３１と主アンテナ３２が、開閉扉４の内側（棚６側）に取り付けられ、外部に露出していない。開閉扉４には、小さな貫通孔４ａが開設されている。
【００４２】
アンテナ装置２０は、線路２３が貫通孔４ａに挿通され、第１アンテナ２１を開閉扉４の内側に配置し、第２アンテナ２２を開閉扉４の外側に配置している。第１アンテナ２１は、認証装置７の主アンテナ３２に接着剤や両面テープ、シール、溶着、ねじなどにより固定され、認証装置７と磁束結合可能に配置されている。一方、第２アンテナ２２は、開閉扉４の表面に接着剤や両面テープ、シール、溶着、ねじなどにより固定されている。
【００４３】
＜動作説明＞
第１実施形態の保管庫１は、正当権限あるユーザに対してのみ開閉扉４の開閉を許可し、リーダ／ライタ装置１２がファイル１０に搭載された非接触式ＩＣタグ１１から読み取るデータに基づいて、ファイル１０の利用履歴を管理する。
【００４４】
図４に示すように、ユーザが、社員証や認証カード、携帯電話等の認証手段３３を、開閉扉４の表面に固定された第２アンテナ２２に近づけると、認証手段３３の非接触式ＩＣタグ３４が応答要求信号に反応し、個人ＩＤや保管庫の使用権限内容などを含む応答信号を第２アンテナ２２に送信する。アンテナ装置２０は、第２アンテナ２２が受信した応答信号を線路２３を介して第１アンテナ２１へ伝達し、第１アンテナ２１から認証装置７の主アンテナ３２に応答信号を送信する。
【００４５】
制御装置８には、保管庫１の使用権限を有するユーザの個人ＩＤ、及び、ユーザが使用可能なファイル１０の種類などが予め登録されている。認証装置７は、アンテナ装置２０から受信した応答信号を制御装置８に出力し、応答信号に対応する個人ＩＤが制御装置８に記憶されているか否かを問い合わせる。認証装置７は、個人ＩＤが制御装置８に記憶されていない場合には、当該ユーザが保管庫１を使用する権限、すなわちファイル１０を使用する権限がないと判断し、電子錠５，５を解錠しない。よって、ユーザは、ファイル１０を保管庫１から取り出すことができない。
【００４６】
一方、認証装置７は、個人ＩＤが制御装置８に記憶されていた場合には、当該ユーザが使用権限を有するファイル１０を収容する保管ボックス２の電子錠５を解錠する。例えば、当該ユーザが、図１に示す上段の保管ボックス２に収容されるファイル１０を使用する権限があれば、認証装置７は、上段の保管ボックス２の電子錠５のみを解錠する。ユーザは、開閉を許可された開閉扉４を開いて、所望のファイル１０を取り出し、開閉扉４を閉める。認証装置７は、開閉扉４が閉まったことを確認すると、電子錠５を施錠する。
【００４７】
尚、ファイル１０の返却時には、ユーザは、上記と同様にして開閉扉４を開閉し、ファイル１０を保管庫１に返却する。
【００４８】
このようなファイル１０の貸出や返却は、リーダ／ライタ装置１２が非接触式ＩＣタグ１１から読み取るデータに基づいて制御装置８が管理する。
【００４９】
リーダ／ライタ装置１２の本体部１３は、主アンテナ１４から非接触式ＩＣタグ１１に向けた応答要求信号を送信している。リーダ／ライタ装置１２は、非接触式ＩＣタグ１１に対して垂直に配置されているため、直接、非接触式ＩＣタグ１１からデータを読み取れない。
【００５０】
そこで、リーダ／ライタ装置１２は、アンテナ装置２０を介して非接触式ＩＣタグ１１のデータを読み取る。すなわち、アンテナ装置２０は、主アンテナ１４と水平（平行）に配置された第１アンテナ２１が、リーダ／ライタ装置１２の応答要求信号を受信し、線路２３を介して第２アンテナ２２へ出力する。アンテナ装置２０は、リーダ／ライタ装置１２と共振するため、リーダ／ライタ装置１２の応答要求信号と同じ信号を第２アンテナ２２から出力する。
【００５１】
第２アンテナ２２は、樹脂製のセパレータ１９を介して非接触式ＩＣタグ１１と平行に配置される。そのため、非接触式ＩＣタグ１１は、第２アンテナ２２から送信される応答要求信号に反応して、ファイル１０を識別する識別ＩＤなどを含む応答信号を送信する。第２アンテナ２２は、その応答信号を受信し、線路２３を介して第１アンテナ２１に出力する。
【００５２】
リーダ／ライタ装置１２は、アンテナ装置２０の無線周波数と共振するため、主アンテナ１４が非接触式ＩＣタグ１１の応答信号を第１アンテナ２１から受信する。このようにして、、リーダ／ライタ装置１２は、非接触式ＩＣタグ１１のデータを本体部１３に取得する。リーダ／ライタ装置１２は、取得したデータを制御装置８へ出力する。
【００５３】
ここで、ファイル１０が棚６に隙間無く並べられている場合には、ファイル１０に搭載する非接触式ＩＣタグ１１が送信する電波が干渉し、リーダ／ライタ装置１２が正確にファイル１０を認識できない恐れがある。
【００５４】
しかし、第１実施形態の保管庫１は、ファイル１０をセパレータ１９に収容した状態で棚６に保管している。各セパレータ１９には、図２に示すように、アンテナ装置２０が取り付けられている。そして、それらのセパレータ１９は、複数の主アンテナ１４上に分散して載置される。リーダ／ライタ装置１２は、例えば、切替部１７が、本体部１３に接続する主アンテナ１４を順次切り替えると、本体部１３に接続する主アンテナ１４のみから応答要求信号が送信される。そして、応答要求信号を送信する主アンテナ１４に接触するアンテナ装置２０のみが応答要求信号をファイル１０の非接触式ＩＣタグ１１に送信する。この場合、非接触式ＩＣタグ１１は、応答要求信号を受信する一定領域のものしか反応せず、電波の干渉が抑制される。
【００５５】
よって、リーダ／ライタ装置１２は、切替部１７により本体部１３に接続する主アンテナ１４を順次切り替えることにより、電波干渉による読み取り不良を回避しつつ、各ファイル１０の非接触式ＩＣタグ１１からデータを読み取ることが可能である。
【００５６】
リーダ／ライタ装置１２からデータを取得した制御装置８は、取得したデータに含まれる識別ＩＤと、先に記憶しているデータに含まれる識別ＩＤとが一致するか否かを判断する。一致する場合には、制御装置８は、ファイル１０の入出庫がないと判断する。
【００５７】
一方、取得したデータに含まれる識別ＩＤが先に記憶しているデータに含まれる識別ＩＤより減っている場合には、減ったデータに対応するファイル１０が貸し出されたと判断する。この場合には、制御装置８は、貸し出したファイル１０の識別ＩＤや貸出時間などを、貸出を検出した直前に認証装置７が読み取った個人ＩＤに関連付けて記憶する。
【００５８】
これに対して、取得したデータに含まれる識別ＩＤが先に記憶しているデータに含まれる識別ＩＤより増えた場合には、増えたデータに対応するファイル１０が返却されたと判断する。この場合には、制御装置８は、返却されたファイル１０の識別ＩＤや返却時間などを、返却を検出した直前に認証装置７が読み取った個人ＩＤに関連付けて記憶する。
【００５９】
従って、制御装置８には、誰が、いつ、どのファイル１０を使用したかが、履歴として残り、例えば、ファイル１０が紛失した場合に、誰が最後に紛失したファイル１０を使用したかを特定し、責任の所在を明らかにできる。
【００６０】
＜第１実施形態に係る保管庫及びアンテナ装置の作用効果＞
以上説明したように、第１実施形態の保管庫１及びアンテナ装置２０は、例えば図２に示すように、ファイル１０に取り付けられた非接触式ＩＣタグ１１が、リーダ／ライタ装置１２の主アンテナ１４に対して垂直に配置されても、第１アンテナ２１をリーダ／ライタ装置１２に対して磁束結合可能に配置し、第２アンテナ２２を非接触式ＩＣタグ１１に対して磁束結合可能に配置すれば、リーダ／ライタ装置１２が、第１アンテナ２１、線路２３、第２アンテナ２２を介して非接触式ＩＣタグ１１からデータを読み取ることが可能である。
【００６１】
また、例えば図４に示すように、防犯の観点から、認証装置７を開閉扉４の内側に取り付け、認証手段３３の非接触式ＩＣタグ３４を認証装置７に直接かざせない場合でも、開閉扉４に形成した貫通孔４ａに線路を通し、第１アンテナ２１を認証装置７の主アンテナ３２と磁束結合可能に配置し、第２アンテナ２２を開閉扉４の外側に固定すれば、認証装置７は、第２アンテナ２２にかざされた認証手段３３の非接触式ＩＣタグ３４からデータを読み取ることが可能である。
【００６２】
よって、第１実施形態の保管庫１及びアンテナ装置２０によれば、リーダ／ライタ装置１２とファイル１０の非接触式ＩＣタグ１１との位置関係や、認証装置７と認証手段３３の非接触式ＩＣタグ３４との位置関係を問わず、リーダ／ライタ装置１２及び認証装置７に非接触式ＩＣタグ１１，３４のデータを読み取らせることができる。このため、保管庫１は、リーダ／ライタ装置１２や認証装置７の取り付け位置が、非接触式ＩＣタグ１１，３４との位置関係に制限されず、設計の自由度が広がる。
【００６３】
また、第１実施形態の保管庫１は、アンテナ装置２０がリーダ／ライタ装置１２の使用する無線周波数に共振するため、あたかもアンテナ装置２０がリーダ／ライタ装置１２のアンテナを構成するかのように、リーダ／ライタ装置１２に非接触式ＩＣタグ１１のデータを読み取らせることが可能である。よって、第１実施形態の保管庫１によれば、リーダ／ライタ装置２０が非接触式ＩＣタグ１１のデータを読み取る領域を拡大させることができる。
【００６４】
また、第１実施形態の保管庫１は、切替部１７によって、アンテナ装置２０とリーダ／ライタ装置１２との接続状態を切り替えるので（図２参照）、アンテナ装置２０を介して非接触式ＩＣタグ１１からデータを読み取る必要がある場合にのみ、アンテナ装置２０とリーダ／ライタ装置１２とを接続すれば、電力の浪費を抑制できる。
【００６５】
しかも、切替部１７によって、本体部１３に複数の主アンテナ１４を順次切り替えて接続すれば、リーダ／ライタ装置１２が非接触式ＩＣタグ１１のデータを読み取る領域を簡単に切り替え、非接触式ＩＣタグ１１のデータを電波干渉することなくリーダ／ライタ装置１２に読み取らせることができる。
【００６６】
また、第１実施形態の保管庫１は、ファイル１０に取り付けられた非接触式ＩＣタグ１１に対して垂直にリーダ／ライタ装置１２を配置しても、リーダ／ライタ装置１２がアンテナ装置２０を介して非接触式ＩＣタグ１１からデータを読み取るので（図２参照）、ファイル１０の入出庫を確実に管理してセキュリティレベルを引き上げることができる。
【００６７】
また、第１実施形態の保管庫１は、認証装置７を開閉扉４の内側に取り付け、アンテナ装置２０の第２アンテナ２２を開閉扉４の外側に取り付けている。そのため、第２アンテナ２２を引っ張っても、線路２３が断線するなど、アンテナ装置２０が破損するに過ぎず、認証装置７を破壊できない。よって、保管庫１は、開閉扉４の外側から認証装置７を壊して開閉扉４を開くことができず、セキュリティレベルが向上する。
【００６８】
（第２実施形態）
続いて、本発明の第２実施形態について図面を参照して説明する。図５は、本発明の第２実施形態に係る保管庫１Ａで使用されるアンテナ装置２０Ａの平面図である。
第２実施形態のアンテナ装置２０Ａを使用する保管庫１Ａは、アンテナ２０Ａを除き、第１実施形態の保管庫１と同じ構成である。
【００６９】
アンテナ装置２０Ａは、第１アンテナ２１と第２アンテナ２２とを接続する線路２３上に「切替手段」の一例であるスイッチ素子４１が配置されている。スイッチ素子４１は、リーダ／ライタ装置１２の本体部１３からの切替命令に応じて第１アンテナ２１と第２アンテナ２２との接続状態を切り替えることによって、第１実施形態のスイッチ１８と同様、アンテナ装置２０Ａとリーダ／ライタ装置１２との接続状態を切り替える。尚、アンテナ装置２０Ａは、リーダ／ライタ装置１２が使用する無線周波数に共振するよう構成されている。
【００７０】
従って、第３実施形態の保管庫１Ａによれば、スイッチ素子４が線路２３に予め取り付けられているので、スイッチ素子４１の取り付けをアンテナ装置２０の設置と同時に簡単に行うことができる。
【００７１】
（第３実施形態）
続いて、本発明の第３実施形態について図面を参照して説明する。図６は、本発明の第３実施形態に係る保管庫１Ｂで使用されるアンテナ装置２０Ｂの平面図である。
第３実施形態のアンテナ装置２０Ｂを使用する保管庫１Ｂは、アンテナ装置２０Ｂを除き、第１実施形態の保管庫１と同じ構成である。
【００７２】
アンテナ装置２０Ｂは、第１アンテナ２１に複数の第２アンテナ２２が線路２３を介して並列に接続されている。第２アンテナ２２を第１アンテナ２１に接続する各線路２３には、スイッチ素子４１が配置されている。そして、各スイッチ素子４１は、線路４２を介して互いに接続され、切替制御部４３に接続されている。切替制御部４３は、制御装置８からの命令に従って、線路４２を介して各スイッチ素子４１にＯＮ／ＯＦＦ信号を出力し、第１アンテナ２１に接続する第２アンテナ２２を選択的に切り替える。これにより、アンテナ装置２０Ｂとリーダ／ライタ装置１２との接続状態を切り替えられる。尚、アンテナ装置２０Ｂは、リーダ／ライタ装置１２に使用する無線周波数に共振するよう構成されている。
【００７３】
このようなアンテナ装置２０Ｂは、例えば、水平方向に並べられたファイル１０の間に配置する絶縁材料（樹脂等）を材質とするブックエンド４４に第２アンテナ２２をそれぞれ固定する。そして、第１アンテナ２１をリーダ／ライタ装置１２の主アンテナ１４と磁束結合可能に配置する。アンテナ装置２０Ｂは、複数の第２アンテナ２２がスイッチ素子４１によって第１アンテナ２１との接続状態を切り替えることにより、リーダ／ライタ装置１２に非接触式ＩＣタグ１１のデータを読み取らせる領域を変更する。
【００７４】
よって、第３実施形態の保管庫１によれば、第１アンテナ２１と第２アンテナ２２との接続状態を切り替え、リーダ／ライタ装置１２が非接触式ＩＣタグ１１からデータを読み取る領域を順次変更すれば、非接触式ＩＣタグ１１のデータを電波干渉させることなくリーダ／ライタ装置１２に読み取らせることができる。また、リーダ／ライタ装置１２に磁束結合可能に接続する第１アンテナ２１の数が減り、配線スペースを小さくできる。
【００７５】
（第４実施形態）
続いて、本発明の第４実施形態について図面を参照して説明する。図７は、本発明の第４実施形態に係る保管庫５０の外観斜視図であって、扉４を開いた状態を示す。
第４実施形態の保管庫５０は、通信システム５１の構成が第１実施形態と異なり、その他の点は第１実施形態に係る保管庫１の構成と同じである。
【００７６】
＜保管庫の全体構成＞
保管庫５０には、複数の収納筒５２が並設されている。各収納筒５２には、１枚ないしは複数枚の図面５３が丸められて収納されている。各図面５３には、非接触式ＩＣタグ１１が添付され、他の図面と区別できるようにされている。保管庫５０は、通信システム５１を用いて各図面５３を管理している。
【００７７】
図８は、図７に示す通信システム５１の概略構成図である。
収納筒５２は、外筒５５の内側に内筒５６が配置されている。外筒５５は、樹脂等の絶縁材料を、一方に開口する円筒形状に成形したものであり、アンテナ装置２０が取り付けられている。アンテナ装置２０は、第１アンテナ２１が外筒５５の側面に接着剤やテープなどで固定され、第２アンテナ２２が外筒５５の底面に接着剤やテープなどで固定されている。外筒５５は、主アンテナ１４の上に載置され、第２アンテナ２２が主アンテナ１４に接触している。つまり、アンテナ装置２０は、第２アンテナ２２が主アンテナ１４と磁束結合可能に配置される。
【００７８】
内筒５６は、樹脂等の絶縁材料を円筒状に成形したものである。内筒５６は、外筒５５の底部に立設された回転軸（図示せず）に回転自在に軸支されている。内筒５６の外周面には、従動ギヤ５６ａが設けられている。従動ギヤ５６ａは、外筒５５の一部を切り欠いて設けた開口部５５ａから外部に露出し、駆動ギヤ５７に噛合されている。駆動ギヤ５７は、モータ５８の駆動軸に連結し、モータ５８の回転力を従動ギヤ５６ａに伝達する。
【００７９】
＜動作説明＞
このような通信システム５１を有する保管庫５０は、モータ５８を回転させると、その回転力が駆動ギヤ５７から従動ギヤ５６ａに伝達され、内筒５６が回転する。図面５６は、内筒５６と一体的に回転する。このとき、外筒５５は回転しない。そのため、図面５６は、外筒５５に取り付けられたアンテナ装置２０の前で回転し、非接触式ＩＣタグ１１のデータがアンテナ装置２０を介して主アンテナ１４に読み取られる。
【００８０】
＜作用効果＞
以上説明したように、第４実施形態の保管庫５０は、アンテナ装置２０が円筒状の外筒５５に取り付けられ、そのアンテナ装置２０に対して図面５３の非接触式ＩＣタグ１１を回転させる。
【００８１】
そのため、例えば、図面５３を保管庫５０に収納したときに、非接触式ＩＣタグ１１がアンテナ装置２０を構成する第１アンテナ２１の検出範囲から外に配置されていても、内筒５６を回転させることにより非接触式ＩＣタグ１１を第１アンテナ２１の検出範囲まで移動させ、非接触式ＩＣタグ１１のデータをアンテナ装置２０を介して主アンテナ１４に読み取らせることができる。
【００８２】
特に、複数の図面５３をまとめて収納筒５１に収納する場合には、各図面５３に取り付けた非接触式ＩＣタグ１１の向きが不揃いになる。この場合でも、内筒５６が回転することにより、収納筒５１に収納された全ての図面５３の非接触ＩＣタグ１１がアンテナ装置２０を構成する第１アンテナ２１の前を通過する。主アンテナ１４は、第１アンテナ２１の前を通過する非接触式ＩＣタグ１１からアンテナ装置２０を介して順次データを読み取ることが可能である。
【００８３】
よって、第４実施形態の保管庫５０によれば、図面５３を保管庫５０から取り出して広げ、バーコードやＯＲコード等を読み取らなくても、非接触式ＩＣタグ１１の貼付位置が下側になるように図面５３を収納筒５１に入れれば、保管庫５０に収納されている各図面５３の非接触式ＩＣタグ１１からデータを読み取って各図面５３を管理することができる。
【００８４】
尚、本発明は、上記実施の形態に限定されることなく、色々な応用が可能である。
例えば、上記実施形態では、第１アンテナ２１のアンテナ部２５が囲む領域を第２アンテナ２２のアンテナ部２７が囲む領域より小さくして、第２アンテナ２２の無線通信領域を第１アンテナ２１より拡大させているが、第１アンテナ２１と第２アンテナ２２のアンテナ部２５，２７が囲む領域を同じ大きさにして、無線通信領域を同じにしても良い。或いは、第１アンテナ２１のアンテナ部２５が囲む領域を第２アンテナ２２のアンテナ部２７が囲む領域より大きくして、第２アンテナ２２の無線通信領域を第１アンテナ２１より縮小させても良い。
【００８５】
例えば、上記実施形態では、アンテナ装置２０，２０Ａ，２０Ｂを保管庫１，１Ａ，１Ｂに使用したが、入退室管理の認証装置等にアンテナ装置２０，２０Ａ，２０Ｂを使用しても良い。
【００８６】
例えば、上記第３実施形態では、複数の第２アンテナ２２を第１アンテナ２１に接続する各線路２３にスイッチ素子４１と配置した。これに対して、第１アンテナ２１に接続する１個のスイッチ素子に対して複数のアンテナ２２を並列に接続し、第１アンテナ２１に接続する第２アンテナ２２を切り替えるようにしても良い。
【００８７】
例えば、上記第４実施形態では、ギヤを用いて内筒５６を回転させたが、駆動ベルトや磁石などを用いて内筒５６を回転させても良い。
また、内筒５６を固定し、外筒５５を主アンテナ１４に対して回転させるようにしても良い。外筒５５に取り付けられたアンテナ装置２０は、第１及び第２アンテナ２１，２２と配線２３とで完結して構成されているので、図面５３の周りを回転させても配線が絡まる等の不具合が生じない。
例えば、上記第４実施形態では、複数の収納筒５１を保管庫５０に設置したが、収納筒５１を１個だけ保管庫５０に設置してもよい。この場合には、入出庫する度に収納筒５１に図面５３を入れて、入出庫する図面５３を保管庫５０に認識させる。
【図面の簡単な説明】
【００８８】
【図１】本発明の第１実施形態に係る保管庫の外観斜視図であって、扉を開いた状態を示す。
【図２】図１に示す通信システムの概略構成図である。
【図３】図２に示すアンテナ装置の平面図である。
【図４】図１に示す認証装置の取付構造を概念的に示した図である。
【図５】本発明の第２実施形態に係る保管庫で使用されるアンテナ装置の平面図である。
【図６】本発明の第３実施形態に係る保管庫で使用されるアンテナ装置の平面図である。
【図７】本発明の第４実施形態に係る保管庫の外観斜視図であって、扉を開いた状態を示す。
【図８】図７に示す通信システムの概略構成図である。
【符号の説明】
【００８９】
１，１Ａ，１Ｂ  保管庫
３  本体部
４  開閉扉
４ａ  貫通孔
７  認証装置（データ読み取り装置）
１０  ファイル（被保管物）
１１  非接触式ＩＣタグ
１２  リーダ／ライタ装置（データ読み取り装置）
１７  切替部（切替手段）
２０，２０Ａ，２０Ｂ  アンテナ装置
２１  第１アンテナ
２２  第２アンテナ
２３  線路
２５  アンテナ部
２７  アンテナ部
３４  非接触式ＩＣタグ
４１  スイッチ素子（切替手段）
【図１】
2009038601.tif 000003
【図２】
2009038601.tif 000004
【図３】
2009038601.tif 000005
【図４】
2009038601.tif 000006
【図５】
2009038601.tif 000007
【図６】
2009038601.tif 000008
【図７】
2009038601.tif 000009
【図８】
2009038601.tif 000010